(57)【特許請求の範囲】
【請求項１】
面ファスナーの雌材シートであって、繊維がループ状またはアーチ状とされた雌形素子が多数形成されている雌基材シートと、この雌基材シートの雌形素子形成面に積層されて接着されている複数の孔部を有する有孔被覆シートとを備え、前記有孔被覆シートの孔部から露出される雌形素子形成面を介して雄材と係止されるように構成されている、ことを特徴とする面ファスナーの雌材シート。
【請求項２】
前記雌基材シートが、不織布である請求項１記載の面ファスナーの雌材シート。
【請求項３】
雌基材シートと有孔被覆シートとが、ホットメルト接着剤により接着されている請求項１または２記載の面ファスナーの雌材シート。
【請求項４】
前記有孔被覆シートが伸縮性を有しているとともに、前記雌基材シートに対して部分的に接着されており、有孔被覆シートの伸縮により各孔部が拡縮可能に構成されている、請求項１〜３の何れか１項に記載の面ファスナーの雌材シート。
【請求項５】
前記雌基材シートと有孔被覆シートとの間に弾性伸縮材が配されている、請求項１〜４の何れか１項に記載の面ファスナーの雌材シート。
【請求項６】
液透過性の表面シートと、液不透過性の裏面シートと、両シート間に介在された吸収体とを備え、背側または腹側の左右両側縁部に止着用のファスニングテープが配されている吸収性物品において、
前記ファスニングテープが、面ファスナーの雄材で形成されており、この雄材が係止する係止部が、前記請求項１〜４の何れか１項に記載の雌材シートにより形成されていることを特徴とする吸収性物品。
【請求項７】
雌材シートが取り付けられる部位が弾性伸縮性を有しており、この弾性伸縮性に伴って雌材シートが伸縮するように構成されている、請求項６記載の吸収性物品。
【請求項８】
液透過性の表面シートと、液不透過性の裏面シートと、両シート間に介在された吸収体とを備え、背側または腹側の左右両側縁部に止着用のファスニングテープが配されている吸収性物品であって、
前記裏面シート自体の一部に繊維がループ状またはアーチ状とされた雌形素子が多数形成された雌基材部が形成されており、
その雌基材部を含む範囲が複数の孔部を有する有孔被覆シートにより被覆されて、その孔部から露出される雌形素子形成面を介して、前記ファスニングテープとの係止がなされるように構成されている、ことを特徴とする吸収性物品。
【請求項９】
裏面シートの雌基材部を含む範囲と有孔被覆シートとが、ホットメルト接着剤により接着されている請求項８記載の吸収性物品。
【請求項１０】
前記有孔被覆シートが伸縮性を有しているとともに、前記雌基材部に対して部分的に接着されており、有孔被覆シートの伸縮により各孔部が拡縮可能に構成されている、請求項８または９記載の吸収性物品。
【請求項１１】
裏面シートの雌基材部を含む範囲が弾性伸縮性を有する、請求項８〜１０の何れか１項に記載の吸収性物品。
【発明の詳細な説明】
【技術分野】
【０００１】
本発明は、紙おむつ、手術衣、下着等の衣服等の主として使い捨ての用途に使用される着用物に用いる面ファスナーの雌材シートおよびこの雌材シートを用いてなる吸収性物品に関する。
【背景技術】
【０００２】
面ファスナーは、繊維をループ状あるいはアーチ状とした雌形素子を有する雌材シートと、前記雌形素子と係止する鈎形あるいはきのこ状の膨頭形等の立毛状雄形素子を有する雄材シートとを、圧接係止させて接着力を発揮させる係止部材として知られ、付け剥がしが容易であり、適度な係止力を有していることから、使い捨ておむつなどの吸収性物品の止着用部材などとして種々分野において利用されている。
ところで、面ファスナーの雌材シートは、例えば、ナイロン、ポリエステル等の合成樹脂繊維を用いた不織布に対して、ニードルパンチ、スパンボンド、スパンレース又は熱収縮などを利用してループ等を顕著にして形成される。
そして、このような合成樹脂繊維を含む雌材シートでは、加熱したパターンロールやエンボスロールに通して、部分的に雌形素子を溶融することにより、係止力の調整および繊維の毛羽立ち防止することが行われることがある。
【特許文献１】特開第３４９０６０８号公報
【特許文献２】特開平９−３１７号公報
【発明の開示】
【発明が解決しようとする課題】
【０００３】
しかしながら、このような部分的に雌形素子を溶融して係止力を調整した雌材シートは、溶融部分が硬化するため吸収性物品など肌に触れる部分に用いる場合にはごわつき感があり好ましくはない。そして、製造するにあたり熱源を必要とするため必要エネルギーが多く製造コストも高くなる。
また、設計変更するにあたりロールのパターンの変更しなければならないため設計変更が容易にはできない欠点もある。
さらに、一旦、溶融処理をしてしまうとその後の係止力の復帰はできないため、例えば、係止不必要時にのみ係止力を抑制するような設計はできない。
そこで、本発明の主たる課題は、熱による繊維の溶融を要せず部分的な硬化なく係止力を調整でき、しかも、簡易に設計変更でき、しかも不必要時にのみ係止力を抑制しておくことも可能な、面ファスナーの雌材シートおよびかかる面ファスナー機構を備える吸収性物品を提供することにある。
【課題を解決するための手段】
【０００４】
上記課題を解決した本発明およびその作用効果は次記のとおりである。
＜請求項１記載の発明＞
面ファスナーの雌材シートであって、繊維がループ状またはアーチ状とされた雌形素子が多数形成されている雌基材シートと、この雌基材シートの雌形素子形成面に積層されて接着されている複数の孔部を有する有孔被覆シートとを備え、前記有孔被覆シートの孔部から露出される雌形素子形成面を介して雄材と係止されるように構成されている、ことを特徴とする面ファスナーの雌材シート。
【０００５】
（作用効果）
本発明では、係止力の調整を有孔被覆シートの孔部の大きさ、個数、パターンを変更するだけで極めて簡易に行うことができる。また、雌形素子を有する雌基材シートを溶融させることがないので係止力を調整するために広範にわたる硬化部分がほとんどない。さらに、要する熱エネルギーも少なくてすむ。
【０００６】
＜請求項２記載の発明＞
前記雌基材シートが、不織布である請求項１記載の面ファスナーの雌材シート。
【０００７】
（作用効果）
雌基材シートが不織布であると、雌基材シートを安価にできもってコスト安にすることができる。
【０００８】
＜請求項３記載の発明＞
雌基材シートと有孔被覆シートとが、ホットメルト接着剤により接着されている請求項１または２記載の面ファスナーの雌材シート。
【０００９】
（作用効果）
ホットメルト接着剤を用いることにより、硬化部分なく両シートを接着することができる。
【００１０】
＜請求項４記載の発明＞
前記有孔被覆シートが伸縮性を有しているとともに、前記雌基材シートに対して部分的に接着されており、有孔被覆シートの伸縮により各孔部が拡縮可能に構成されている、請求項１〜３の何れか１項に記載の面ファスナーの雌材シート。
【００１１】
（作用効果）
本発明は、有孔被覆シートの伸縮性により孔部が拡縮するように構成されている。従って、使用時に被覆シートを伸張させて孔部を広げた状態で雄材と係止させることができるとともに、係止不必要時には有功被覆シートを縮小させた状態として孔部を小さくして雌形素子が露出する部分を少なくすることもでき、もって不必要時に係止力を抑止して、必要時に係止力を発揮させることができる。なお、有孔被覆シートの伸縮性は、特には弾性伸縮性であるのがよい。
【００１２】
＜請求項５記載の発明＞
前記雌基材シートと有孔被覆シートとの間に弾性伸縮材が配されている、請求項１〜４の何れか１項に記載の面ファスナーの雌材シート。
【００１３】
（作用効果）
本発明は、雌基材シートと有孔被覆シートとの間に弾性伸縮材が配されている。従って、伸縮材の収縮時には雌材シートが収縮されてシワが生じそのシワ間に孔部が隠れ、伸縮材の伸張時にシワ間から孔部が露出されるようにすることができる。もって伸張時の孔部露出状態で雄材と係止させたのち、雌材シートの伸張を解除して係止に不必要な孔部をシワ間に再度隠れるように構成することができる。
【００１４】
＜請求項６記載の発明＞
液透過性の表面シートと、液不透過性の裏面シートと、両シート間に介在された吸収体とを備え、背側または腹側の左右両側縁部に止着用のファスニングテープが配されている吸収性物品において、
前記ファスニングテープが、面ファスナーの雄材で形成されており、この雄材が係止する係止部が、前記請求項１〜４の何れか１項に記載の雌材シートにより形成されていることを特徴とする吸収性物品。
【００１５】
（作用効果）
上記請求項１〜４記載の作用効果を有するとともに、吸収性物品の面ファスナー素材では、特に肌触り性の向上および、不必要時に雄材と雌材とが係止されることが防止されるなどの使用上の種々の利点が得られる。
【００１６】
＜請求項７記載の発明＞
雌材シートが取り付けられる部位が弾性伸縮性を有しており、この弾性伸縮性に伴って雌材シートが伸縮するように構成されている、請求項６記載の吸収性物品。
【００１７】
（作用効果）
請求項４および５記載の作用効果と同様に、使用時に有孔被覆シートを伸張させて孔部を広げた状態で雄材と係止させることができるとともに、係止不必要時には有功被覆シートを縮小させた状態として孔部を小さくして雌形素子が露出する部分を少なくすることができ、もって不必要時に係止力を抑止して、必要時に係止力を発揮させることができる。
【００１８】
＜請求項８記載の発明＞
液透過性の表面シートと、液不透過性の裏面シートと、両シート間に介在された吸収体とを備え、背側または腹側の左右両側縁部に止着用のファスニングテープが配されている吸収性物品であって、
前記裏面シート自体の一部に繊維がループ状またはアーチ状とされた雌形素子が多数形成された雌基材部が形成されており、
その雌基材部を含む範囲が複数の孔部を有する有孔被覆シートにより被覆されて、その孔部から露出される雌形素子形成面を介して、前記ファスニングテープとの係止がなされるように構成されている、ことを特徴とする吸収性物品。
【００１９】
（作用効果）
本発明にかかる吸収性物品は、係止力を調整するにあたって有孔被覆シートの孔部の大きさ、個数、パターンを変更するだけで極めて簡易に行うことができる。また、雌形素子を有する裏面シートの雌基材分をエンボス加工などによって溶融させる必要なく係止力を調整することができる。もって、かかる溶融による硬化部分の形成はなく、要する熱エネルギーも少なくてすむ。
【００２０】
＜請求項９記載の発明＞
裏面シートの雌基材部を含む範囲と有孔被覆シートとが、ホットメルト接着剤により接着されている請求項８記載の吸収性物品。
【００２１】
（作用効果）
ホットメルト接着剤を用いることにより、好適に被覆シートを接着することができる。
【００２２】
＜請求項１０記載の発明＞
前記有孔被覆シートが伸縮性を有しているとともに、前記雌基材部に対して部分的に接着されており、有孔被覆シートの伸縮により各孔部が拡縮可能に構成されている、請求項８または９記載の吸収性物品。
【００２３】
（作用効果）
有孔被覆シートが伸縮性を有しているので、使用時に有孔被覆シートを伸張させて孔部を広げた状態で雄材と係止させることができるとともに、係止不必要時には有功被覆シートを縮小させた状態として孔部を小さくして雌形素子が露出する部分を少なくすることができ、もって不必要時に係止力を抑止して、必要時に係止力を発揮させることができる。なお、有孔被覆シートの伸縮性は、特には弾性伸縮性であるのがよい。
【００２４】
＜請求項１１記載の発明＞
裏面シートの雌基材部を含む範囲が弾性伸縮性を有する、請求項８〜１０の何れか１項に記載の吸収性物品。
【００２５】
（作用効果）
本発明は、裏面シートの雌基材部を含む範囲が弾性伸縮性を有する。従って、伸縮材の収縮時には雌材シートが収縮されてシワが生じそのシワ間に孔部が隠れ、伸縮材の伸張時にシワ間から孔部が露出されるようにすることができる。もって伸張時の孔部露出状態で雄材と係止させたのち、裏面シートの伸張を解除して係止に不必要な孔部をシワ間に再度隠れるように構成することができる。
【発明の効果】
【００２６】
以上詳述の本発明によれば、熱による繊維の溶融を要せず部分的な硬化なく係止力を調整でき、しかも、簡易に設計変更でき、さらに不必要時にのみ係止力を抑制しておくことも可能な、面ファスナーの雌材シートおよびかかる面ファスナー機構を備える吸収性物品が提供される。
【発明を実施するための最良の形態】
【００２７】
次いで、本発明の実施の形態を図面を参照しながら以下に詳述する。
本発明の面ファスナーの雌材シート２は、図１および２に示されるように、繊維がループ状、アーチ状となっている雌形素子２０ａ、２０ａ…が多数形成されている雌基材シート２０の雌形素子２０ａ形成面に、複数の孔部２１ａ，２１ａを有する有孔被覆シート２１が積層されて接着剤２２により接着されており、有孔被覆シート２１の孔部２１ａから多数の雌形素子２０ａ，２０ａ形成面の一部が外面に露出されるように構成されている。
【００２８】
雌基材シート２０は、対応する雄材シートとの係止に適した多数の雌形素子２０ａ，２０ａを備えるシートであって、従来例における既知の各種雌材シートそのものを用いることができる。例えば、一方面にループ状またはアーチ状の雌形素子を多数形成した織布、ポリエチレンまたはポリプロピレン等のオレフィン系、ポリエステル系、ポリアミド系等の合成繊維、レーヨンやキュプラ等の再生繊維、綿等の天然繊維などからなるウェブを、スパンレース法、スパンボンド法、サーマルボンド法、メルトブローン法、ニードルパンチ法、熱収縮法等の適宜の加工法を施して片面にループ状、アーチ状の雌形素子を形成した不織布を用いることができる。安価に製造可能できる点を考慮するならば不織布がより好適である。なお、不織布に対してループ状あるいはアーチ状の雌形素子を顕著に形成する加工法の内、スパンレース法は柔軟性、ドレープ性に富むようになる点で優れ、サーマルボンド法は嵩高でソフトに富むようになる点で優れ、使用目的に応じて適宜選択することができる。ここで、不織布は、積層不織布であってもよく、例えば、スパンボンド法によりウェブを形成したスパンボンド不織布（Ｓ）層と；メルトブローン法によりウェブを形成したメルトブローン不織布層（Ｍ）とを２層以上適宜積層させた不織布積層体を素材として使用することができる。
【００２９】
雌基材シート２０を設計するにあたっては、雌基材シート２０と対応する雄材との離強度をどの程度にするかは用途に応じて適宜選択すればよい。当然であるが、有孔性被覆シート２１で被覆しなくとも係止力が不足するような範囲ではってはならない。また、剥離時に上層にある有効性被覆シート２１の破損が生じたり、孔部２０ａ，２０ａから繊維が引き出されて毛羽立ちが生ずるおそれが高くなるような剥離強度は付け剥がし繰り返す用途では過度である。また、抑制するためにかなりの範囲を有孔性被覆シート２１で被覆することになって実質的な利点がなくなるような剥離強度も過度である。例えば、面積比で９８％以上の被覆を要するような場合は過度である。
【００３０】
具体的な数値でいえば、剥離強度が１００ｇｆ〜１５００ｇｆ、好ましくは１４０〜４００ｇｆとなるように設計するのが望ましい。なお、この剥離強度の測定方法は、以下のようにして測定する。まず、幅５０ｍｍ×長さ１００ｍｍの布テープを幅方向に二つ織りにして幅２５ｍｍ×１００ｍｍの二つ折り布テープとし、この布テープの一方端にファスニングテープをしっかりと貼付する。この際、ファスニングテープの雄材が、布テープの先端よりも外方に位置するようにする。
【００３１】
一方で、ステンレス製平板に、本願発明にかかる雌基材シートを雌型素子形成面を上面として両面粘着テープにて貼付する。さらに、両端をクラフトテープで固定する。
【００３２】
次いで、雄材と雌型素子形成面とを接触させたのち、これらの上を質量２ｋｇのローラで布テープ側から一往復させてファスニングテープと雌基材シートを圧着する。さらに、布テープのファスニングテープ貼付反対側他方端に１ｋｇの分銅を１０秒間吊り下げて圧着部分にせん断力をかけ係止を確実なものとする。
【００３３】
その後に、ステンレス平板と布テープのファスニングテープ貼付反対側他方端とを引張試験機の治具でチャックする。このときステンレス平板に対して布テープのファスニングテープ貼付反対側他方端をチャックする治具の引張方向が９０°となるようにする。
【００３４】
かくして最終剥離角度９０°となるように治具を引張試験機にセットしたのち、３００ｍｍ／ｍｉｎで圧着部分を剥離し、そのときに測定される凹凸加重平均値を剥離強度とする。なお、測定値は有効測定値の３〜１０回の平均とする。また、測定にあたって試料の設置は、測定がＣＤ対ＣＤ方向の測定となるようにする。さらに、試験片の大きさは、雄材４７ｍｍ±３ｍｍ（ＭＤ方向）×９３ｍｍ（ＣＤ方向）、雌基材シート２３．５±１．５ｍｍ（ＭＤ方向）×２４ｍｍ（ＣＤ方向）となるようにする。
【００３５】
一方、雌基材シート２０を設計するにあたって、雌基材シート２０と対応する雄材とのせん断力をどの程度にするかも用途に応じて適宜選択すればよい。有孔性被覆シート２１で被覆しなくとも係止しないせん断力は望ましくない。また、孔部内周縁部に負荷がかかり破損するおそれが生ずるせん断力も望ましくない。反対に係止感が強すぎて硬質感があり面ファスナーの利点がなくなるようなせん断力では望ましくない。
【００３６】
具体的な数値でいえば、せん断力は、１ｋｇ〜１０ｋｇ、好ましくは３〜８ｋｇとなるように設計するのが望ましい。なお、このせん断力の測定方法は、以下のようにして測定する。まず、ステンレス製平板に、本願発明にかかる雌基材シートを雌型素子形成面を上面として両面粘着テープにて貼付する。さらに、両端をクラフトテープで固定する。このとき雌基材シートの周囲にはステンレス製平板の余白が残るようにする。
【００３７】
次いで、ファスニングテープの雄材を前記雌型素子形成面に接触させたのち、これらの上を質量２ｋｇのローラで布テープ側から一往復させて雄材と雌基材シートを圧着する。
【００３８】
その後に、ステンレス製平板の余白部分とファスニングテープの一端とを引張試験機の治具でチャックする。このときチャック間距離を５０ｍｍにする。かくしてチャッキングが完了したならば、治具を雄材と雌基材シートとのせん断方向に引張速度３０ｍｍ／ｍｉｎで引っ張り、最大せん断力を測定する。なお、測定値は有効測定値の３〜１０回の平均とする。また、測定にあたって試料の設置は、測定がＣＤ対ＣＤ方向の測定となるようにする。さらに、試験片の大きさは、雄材４７ｍｍ±３ｍｍ（ＭＤ方向）×９３ｍｍ（ＣＤ方向）、雌基材シート２３．５±１．５ｍｍ（ＭＤ方向）×２４ｍｍ（ＣＤ方向）となるようにする。
【００３９】
有孔被覆シート２１は、雌基材シート２０の雌形素子形成面を被覆して被覆して雌基材シート２０の係止力を調整するものであるから、前記雌基材シート２０よりも雄材に対する係止力が小さいシート材を用いる。有孔被覆シート２１の素材は特に限定されないが、例えば、ポリエチレンフィルムシートなどの各種樹脂性フィルムシート、不織布シート、織布シート、可撓性材シート、その他各種既知のシート材を用いることができる。不織布シートを用いるのであれば、繊維目付け量を高めて繊維密度を高めたりスパンレース法などの各種法による加工具合を調整することにより繊維表面のループ状部、アーチ状部の数やループ高さを少なくし、雌基材シート２０よりも雄材に対して係止力の小さい不織布シートとすればよい。有孔被覆シート２１としては、肌触り感を優先させるのであれば不織布シートが適し、係止力の抑止を優先するのであれば表面の平滑性の高い樹脂製フィルムシートが適する。
【００４０】
有孔被覆シート２１に設けられる複数の孔部２１ａ、２１ａは、雌基材シート２０の雌形素子２０ａ，２０ａを外面に露出させるための露出孔２１ａ、２１ａであり、雄材がこの孔部２１ａ、２１ａを介して雌基材シート２０に係止する。従って、係止力を考慮して、孔部２１ａ、２１ａの開口領域面積、数、位置などを適宜設計する。ひとつの孔部２１ａの開口領域が、雄材の実質的な係止面よりも大きいと、係止力の抑止効果が得られ難くなるので一つの孔部の開口領域は、雄材の実質的な係止面よりも小さくするのが望ましい。
【００４１】
孔部２１ａ、２１ａの配列に関しては、規則性をもって配列するとシート全体に平均的に抑止効果が得られるようになる。孔部２１ａの形状、配列パターンとしては、図１に示す多数の円形孔が適当間隔で並列されたパターンのほか、図３および４に示すように、シートの幅方向や縦方向に沿って設けられた所定幅のスリット状の細長の孔部とすることもできる。孔部の形状は特に限定されるものではなく、図示例には示されないが三角孔であってもよいし、また、複数ある孔部の形状をすべて同一にする必要もない。
【００４２】
孔部２１ａ、２１ａの具体的態様としては、例えば本雌材シート２を紙おむつのファスニングテープの係止部に使用するのであれば、雌材シート２の総面積に対して総開口領域（前孔部の開口領域を合わせた総面積）を、３０〜８０％程度の範囲で調整するのが利用しやすく、また、この場合において孔形状が円形である態様とするならば、８０平方ｃｍあたり、直径５ｍｍφの孔部を２００個程度設けるのが利用しやすく、幅１〜５ｍｍのスリットであれば、スリット幅の２〜５倍程度のピッチで配置するのが利用しやすい。この程度であれば、係止力の抑制が十分に達成できるとともに、好適な強度を発現できる。また、雌基材シート２０に対する剥離強度を１０から５０％低下させる程度に孔部を設けるのが適する。なお、本発明は必ずしも、この数値範囲に限られず、用途に応じて適宜変更することができる。要は、止着テープ式紙おむつにおいて不備なく行われている止着操作時の、ファスニングテープと係止部との剥離強度の範囲となるように適宜設計すればよい。
【００４３】
雌基材シート２０と有孔被覆シート２１との接着は、各シート材質に応じて既知の接着剤２２のなかから選択して用いることができる。接着後に硬化性が高くないものが適する。本発明は加熱に伴う雌基材の溶融に起因する剛性の向上をきらうため、熱融着は用いないのが望ましい。ただし、雌基材シート２０に比してきわめて融点が低く柔らかいフィルムシートを有孔被覆シートとして用いた組み合わせであれば熱融着も採り得る。好適には不織布等のシート材同士の接着に用いられるホットメルト接着剤による接着である。ホットメルト接着部は、接着部をほとんど硬化させずにシート材を接着することができる。中でも、吸収性物品、衛生物品において用いられる不織布の柔軟性を損なわれないように配慮されたホットメルト接着剤により接着するのが特に好適である。
【００４４】
ここで、両シート材２０、２１を接着するにあたって接着剤は、雌基材シート側に塗布するようにしてもよいし、有孔被覆シート側に塗布するようにしてもよい。必要に応じて適宜の側に塗布して積層して接着すればよい。孔部の配置パターンをよけて雌基材シート上に接着剤を塗布するよりも、有孔被覆シート２１に塗布したほうが製造は容易である。
【００４５】
接着剤の塗布態様としては、雌基材シート２０、有孔被覆シート２１の何れかの全面に塗布してもよいし、ライン状あるいは点状に部分的に塗布してもよい。また、スロットコーター等の塗工機の用いて直接的にシート材に塗工してよいし、ホットメルトパウダーを散布する方法や、スプレーノズルを用いて散布することにより塗布するようにしてもよい。塗布態様は特に限定されるものであない。
【００４６】
一方、本発明の雌材シート２では、前記有孔被覆シート２１を伸縮性を有するものとして、この伸縮によって各孔部が拡縮するように構成することができる。例えば、繊維間の絡み合いを利用した伸縮性不織布や編みこみにより伸縮性を備えた織布が挙げられる。伸縮によって孔部が拡縮すると雄材と係止させるときに孔部を広げて係止させ、係止後に孔部の縮小により不要な雌形素子の露出が少なくなる態様をとることができる。
【００４７】
他方、本発明の雌材シート２では、雌基材シート２０と有孔被覆シート２１との間に糸ゴム、エラストマーシート、ウレタンシート、その他弾性伸縮性シートなどの弾性伸縮材（図示せず）を配することにより、伸縮性を付与したものとすることができる。そして、このように伸縮部材によって伸縮性が付与されると雌材シート２が収縮されたときに生ずるシワ間に孔部２１ａ、２１ａが隠れ、雌材シート２を伸張したときに孔部２１ａ、２１ａが明確に露出するようになり、もって孔部２１ａ、２１ａを露出させたときに雄材と係止させ、その後に雌材シート２の伸張状態を解除して係止に不必要な孔部２１ａ、２１ａが再度シワ間に隠れるようにして、意図しない係止がなされないようにする態様をとることができる。
【００４８】
なお、弾性伸縮部材と各シートとの接着は、適宜選択できるが上述の雌基材シートと有孔被覆シートとの接着と同様にホットメルト接着剤を用いるのが好適である。
【００４９】
＜吸収性物品の第１の実施形態＞
次いで、本発明にかかる面ファスナーの雌材シートを用いた吸収性物品を使い捨て紙おむつＺを例に詳述する。図５に本形態の紙おむつの展開図を示す。
【００５０】
本形態の紙おむつＺは、使用者の肌側に位置する透液性の表面シート１１と、製品の外側に位置して実質的に液を透過させない不透液性の裏面シート１２と、これらの間に設けられた例えば長方形又は好ましくは砂時計型のある程度剛性を有する吸収体１３と備え、背側部の左右両側縁部に止着用のファスニングテープＹ１が配されている。このファスニングテープＹ１はその一部または全部が、面ファスナーの雄材で形成されており、この雄材が係止する腹側部に形成された係止部に上述の本形態の雌材シートＸ１が配されている。
【００５１】
裏面シート１２は、ポリエチレンフィルム等の不透液性プラスチックフィルムの外面に肌触り性向上のため不織布シートが積層融着して形成されており、吸収体３より幅広の方形をなしている。なお、第１の形態における裏面シートは、必ずしも外面側に不織布シートを積層したものとする必要はなく、外面が不透液性プラスチックフィルムであるものでもよい。この不織布シートは表面の繊維ループ、繊維アーチが密であり、雄材と係止はしように構成されている。前記ファスニングテープＹ１の係止部たる雌材シートＸ１は、前記裏面シート１２外面の腹側の幅方向（腹回り方向）の中央部から両脇に向かって適宜の範囲にわたり、ホットメルト接着剤（図示しない）を用いて接着されて設けられている。
【００５２】
一方、雌材シートＸ１が取り付けられる腹回り部分は、腹回りへのフィット性向上およびもれ防止のために多数の図示されない糸ゴムが配されてウエストギャザーが形成されている。雌材シートＸ１は、この糸ゴムが伸張された状態で裏面シート１２に接着されており、糸ゴムが収縮した状態では雌材シートＸ１にシワが入った収縮された状態とされ、その孔部２１ａ、２１ａ…の一部はシワとシワとの間に隠れた状態になる。おむつの装着時のウエストギャザー伸張操作に伴って雌材シートＸ１は伸張され孔部２１ａが明確に露出され雄材Ｙ１と適当な係止力で係止させることが可能となる。そして、おむつ装着後に糸ゴムの伸縮力が作用して伸張不必要部にシワが生ずるとその部分における係止に不要な孔部２１ａがシワ間に隠れるようになる。
【００５３】
一方、表面シート１１は吸収体１３より幅広の方形をなし、吸収体１３の側縁１３ｓより外方に延在し、裏面シート１２とホットメルト接着剤などにより接着されている。表面シート１１は、スパンボンド不織布、エアスルー不織布、ＳＭＳ不織布、ポイントボンド不織布等の各種不織布の他、ポリエチレンフィルム等のプラスチックフィルムや、プラスチックフィルムと不織布とをラミネートしたラミネート不織布も用いることができる。また、ナイロン、ポリエチレンテレフタレート等の糸を平織り等したネット状の素材を用いることもできる。
【００５４】
表面シート１１と吸収体１３との間には、表面シート１１を通過した体液を広い範囲にすばやく拡散させるあるいは吸収体１３にすばやく移行させる等の目的で、セカンドシート１４が設けられている。
【００５５】
吸収体１３は、積繊パルプやトウからなる繊維集合体に吸収性ポリマーを内在させたものをパルプシートなど包皮して形成されている。前記繊維集合体を構成する繊維（以下、単にトウ構成繊維という）としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などであり、特に、セルロースエステルおよびセルロースが好ましい。なお、セカンドシート１４を繊維集合体からなるものとしてもよい。
【００５６】
高吸収性ポリマーとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。製品の吸湿によるブロッキング性を抑制するためにブロッキング防止剤が添加されたものも用いることができる。また高吸収性ポリマーとしては、粉体状、粒子状、顆粒状、ペレット状、ゾル状、サスペンジョン状、ゲル状、フィルム状、不織布状等のさまざまな形態をもったものがあるが、これらはいずれも本発明において使用可能であり、特に粒子状のものが好適に使用される。
【００５７】
なお、本発明の吸収性物品Ｚはこの形態に限られるわけではなく、ファスニングテープたる雄材Ｙ１とその係止部たる雌材シートＸ１との係止により止着を行う種の紙おむつにおいて採り得る構成に適宜変更することができる。例えば、腹回り以外にも止着式紙おむつ等の吸収性物品において用いられる糸ゴムなどの弾性伸縮部材を各所に配することができる。
【００５８】
＜吸収性物品の第２の実施の形態＞
第２の実施形態は、図示はしないが、雌材シートを裏面シートに貼付するのではなく、裏面シート１２そのものの外面の一部を先に説明の雌材シートと同様の構造にして係止部とした形態である。いわゆるターゲットテープレスともよばれる形態である。
【００５９】
この第２の実施の形態にかかる使い捨て紙おむつに用いる裏面シートは、係止部形成のため外面側が常に不織布シートあるいは織布シートが配されたものとする。
【００６０】
第１の形態では、裏面シートに用いる不織布シートは、その表面の繊維ループ、繊維アーチを密として、雄材との係止を防止した構成としたが、本形態では、少なくとも係止部とする位置の繊維ループ、繊維アーチの形状、密度を調整して、ファスニングテープの雄材と係止しうる雌型素子とした雌基材部を設ける。
【００６１】
裏面シートを形成するにあたって、不織布シートと不透液性フィルムシートとを接着する方法としては、ホットメルト接着剤を介して行われるエンボス加工など既知の技術により圧着すればよい。このとき、係止部（雌基材部）と他の部分における圧着力など圧着態様を相違させることによっても、係止機能を有する雌基材部を形成することができる。
【００６２】
ここで、用いられる不織布シートの具体例は、上記説明の雌基材シートに用いられる不織布シートと同様であるが、特に、この不織布シートの、坪量は、１０〜１００ｇ／ｍ2 、更に好ましくは２０〜６０ｇ／ｍ2 とするのが望ましい。不織布シートの坪量が１０ｇ／ｍ2 未満であると、雄材の絡む空間が十分に維持されず、また止着テープを剥離させる際に不織布シートの破壊が生じ、１００ｇ／ｍ2 を超えると、不織布シートの生産性が悪くなるとともに、係合部以外の部位への止着テープの止着が顕著となるので好ましくない。
【００６３】
なお、第２の形態に特有である構成以外の構成については、第１の実施の形態と同様である。例えば、表面シート、吸収体、係合部の位置、範囲、大きさ、ファスニングテープの構成などは第１の実施の形態と同様である。また、係止部における構造は、上記説明の雌基材シートと同様である。
【産業上の利用可能性】
【００６４】
本発明は、紙おむつなどの吸収性物品のほか、手術衣、包装材等の使い捨て製品にも好適に利用可能である。
【図面の簡単な説明】
【００６５】
【図１】本発明にかかる面ファスナーの雌材シートの第１の形態を示す模式図である。
【図２】そのＩＩ−ＩＩ断面図である。
【図３】本発明にかかる面ファスナーの雌材シートの第２の形態を示す模式図である。
【図４】本発明にかかる面ファスナーの雌材シートの第３の形態を示す模式図である。
【図５】本発明にかかる面ファスナーを採用した止着式紙おむつの展開図である。
【符号の説明】
【００６６】
Ｘ１…雌材シート、Ｙ１…雄材（ファスニングテープ）、Ｚ…紙おむつ、２ａ…雌形素子、２０…雌基材シート、２１…有孔被覆シート、２１ａ…孔部、２２…ホットメルト接着部、１１…表面シート、１２…裏面シート、１３…吸収体、１４…セカンドシート。
【図１】
0004417920.tif 000002
【図２】
0004417920.tif 000003
【図３】
0004417920.tif 000004
【図４】
0004417920.tif 000005
【図５】
0004417920.tif 000006